(57)【要約】【課題】ランプの種類が異なっても共用できるヘッドランプの点灯装置を提供する。【解決手段】本発明は、ハイビームランプ５とロービームランプ６とを備えたヘッドランプと、ヘッドランプの点灯状態を選択するコンビスイッチ３と、コンビスイッチに応じて前記ヘッドランプの点灯状態を制御するコントローラ４と、ヘッドランプの抵抗値を検出する抵抗値検出手段１１とを備え、コントローラは、予めヘッドランプに設定されるランプの種別ごとに、ランプの点灯状態を記憶したマップを備え、抵抗値検出手段により検出された抵抗値に基づいて、ヘッドランプに用いられたランプの種別を判定し、判定したランプに対応したマップに基づいてヘッドランプの点灯状態を制御するヘッドランプの点灯装置である。【選択図】図１
2008230509.tif 000002
【特許請求の範囲】
【請求項１】
ハイビームランプとロービームランプとを備えたヘッドランプと、
前記ヘッドランプの点灯状態を選択するコンビスイッチと、
前記コンビスイッチに応じて前記ヘッドランプの点灯状態を制御するコントローラと、
前記ヘッドランプの抵抗値を検出する抵抗値検出手段とを備え、
前記コントローラは、予めヘッドランプに設定されるランプの種別ごとに、ランプの点灯状態を記憶したマップを備え、前記抵抗値検出手段により検出された抵抗値に基づいて、前記ヘッドランプに用いられたランプの種別を判定し、判定したランプに対応した前記マップに基づいてヘッドランプの点灯状態を制御することを特徴とするヘッドランプの点灯装置。
【請求項２】
前記ヘッドランプは、前記ロービームランプとして高輝度放電ランプとハロゲンランプのいずれかを備え、
前記コントローラは、前記抵抗値検出手段が検出した抵抗値が所定値以下の場合に前記ロービームランプがハロゲンランプと判定し、所定値を超える場合には高輝度放電ランプと判定することを特徴とする請求項１に記載のヘッドランプの点灯装置。
【請求項３】
前記コントローラは、前記ハロゲンランプ用マップ及び前記高輝度放電ランプ用マップを備え、
前記ハロゲンランプ用マップは、ロービームランプ点灯時にハイビームランプを点灯する際にロービームランプを消灯するように構成され、
前記高輝度放電ランプ用マップは、ロービームランプ点灯時にハイビームランプを点灯する際にロービームランプを継続して点灯するように構成されることを特徴とする請求項２に記載のヘッドランプ点灯装置。
【発明の詳細な説明】
【技術分野】
【０００１】
本発明は、ヘッドランプの点灯装置、特にＨＩＤランプ（高輝度放電ランプ）とハロゲンランプのいずれにも使用可能とするヘッドランプの点灯装置の改良に関するものである。
【背景技術】
【０００２】
従来のＨＩＤランプを点灯する電気回路と、ハロゲンランプを点灯する電気回路を図５に示す。これらは下向きのヘッドランプ、いわゆるロービーム側のヘッドランプとして用いられる。また、上向きのヘッドランプ、いわゆるハイビーム側のヘッドランプはハロゲンランプが用いられる。
【０００３】
このような構成において、ロービーム点灯中にハイビームを点灯する際のロービームの点灯条件がＨＩＤランプとハロゲンランプとで異なる。各点灯条件を図５を用いて説明する。
【０００４】
図５に示す電気回路において、（Ａ）はロービームがＨＩＤランプの場合を示し、（Ｂ）がハロゲンランプの場合を示している。
【０００５】
図５（Ａ）において、ロービームの場合には運転者がコンビスイッチを操作して、ヘッドランプを点灯すると（「２」、「Ｌ」オン）、電流がＢ→Ｃ→Ｇ→ＧＮＤと流れ、コイルＣ１が切換スイッチＳＷ１をオンにしてロービームが点灯する。ロービーム点灯時にハイビームの点灯を行った場合には、運転者が「２」、「Ｈ」を選択し、電流がＤ→Ｅ→Ｃ→Ｂ→ＧＮＤと流れてコイルＣ２がハイビーム側の切換スイッチＳＷ２をオンし、ＨＩＤのハイビームが点灯し、この点灯時にロービームは点灯したままとなる。
【０００６】
図５（Ｂ）において、ロービームの場合には運転者がコンビスイッチを操作して、ヘッドランプを点灯すると（「２」、「Ｌ」オン）、電流がＢ→Ｃ→Ｇ→ＧＮＤと流れ、コイルＣ３が切換スイッチＳＷ３をオンにしてロービームが点灯する。ロービーム点灯時にハイビームの点灯を行った場合には、運転者が「２」、「Ｈ」を選択し、電流がＤ→Ｅ→Ｃ→Ｂ→ＧＮＤと流れてハイビーム側の切換スイッチＳＷ４がオンし、ＨＩＤのハイビームが点灯し、この点灯時にロービームは消灯することととなる。
【０００７】
この点灯状態の違いは、ランプの種類により寿命を延ばす手法が異なることによる。つまり、ＨＩＤランプの場合には点灯／消灯を繰り返すことで電極が劣化して寿命が短くなるため、一度点灯したならばできるだけ消灯しないことが好ましく、したがって、ハイビーム点灯時でもＨＩＤランプのロービームを点灯したままとする。対してハロゲンランプはフィラメントの点灯時間が短いほど寿命は長くなるため、ハイビーム点灯時にはロービームを消灯することでロービームに用いたハロゲンランプの寿命を延ばすようにする。
【発明の開示】
【発明が解決しようとする課題】
【０００８】
しかしながら、このようにヘッドランプの種別により点灯条件が異なる場合には、ＨＩＤランプ用とハロゲンランプ用とで構成部品や電気回路が相違することになり、同一車種においてＨＩＤランプとハロゲンランプの設定がある場合、部品点数の増加や部品の組付け間違いが発生しやすいという問題がある。
【０００９】
本発明においては、上記の問題点に鑑みてなされたものであり、上記問題点を解決するヘッドランプの点灯装置を提供することを目的とする。
【課題を解決するための手段】
【００１０】
第１の発明は、ハイビームランプとロービームランプとを備えたヘッドランプと、前記ヘッドランプの点灯状態を選択するコンビスイッチと、前記コンビスイッチに応じて前記ヘッドランプの点灯状態を制御するコントローラと、前記ヘッドランプの抵抗値を検出する抵抗値検出手段とを備え、前記コントローラは、予めヘッドランプに設定されるランプの種別ごとに、ランプの点灯状態を記憶したマップを備え、前記抵抗値検出手段により検出された抵抗値に基づいて、前記ヘッドランプに用いられたランプの種別を判定し、判定したランプに対応した前記マップに基づいてヘッドランプの点灯状態を制御するヘッドランプの点灯装置である。
【００１１】
第２の発明は、第１の発明において、前記ヘッドランプが、前記ロービームランプとして高輝度放電ランプとハロゲンランプのいずれかを備え、前記コントローラは、前記抵抗値検出手段が検出した抵抗値が所定値以下の場合に前記ロービームランプがハロゲンランプと判定し、所定値を超える場合には高輝度放電ランプと判定するヘッドランプの点灯装置である。
【００１２】
第３の発明は、第２の発明において、前記コントローラが、前記ハロゲンランプ用マップ及び前記高輝度放電ランプ用マップを備え、前記ハロゲンランプ用マップは、ロービームランプ点灯時にハイビームランプを点灯する際にロービームランプを消灯するように構成され、前記高輝度放電ランプ用マップは、ロービームランプ点灯時にハイビームランプを点灯する際にロービームランプを継続して点灯するように構成されるへッドランプ点灯装置である。
【発明の効果】
【００１３】
第１の発明では、検出されたヘッドランプの抵抗値に基づいて、ヘッドランプに用いられたランプの種別を判定し、判定したランプに対応するマップに基づいてヘッドランプの点灯状態を制御するため、異なるランプであってもコントローラに記憶したマップの切り換えのみで点灯状態を最適に制御することができ、部品点数の増加や組付け間違いの発生を防止することができる。
【００１４】
第２の発明では、ヘッドランプの抵抗値に基づいてロービームランプがハロゲンランプか高輝度放電ランプかを確実に判定することができる。
【００１５】
第３の発明では、コントローラは、ロービームランプがハロゲンランプか高輝度放電ランプかによりマップを変化させてヘッドランプの点灯状態を制御するため、ランプに応じてランプ寿命の延長に最適な点灯状態で制御することができる。
【発明を実施するための最良の形態】
【００１６】
図１は、本発明に係るヘッドランプの点灯装置の構成図を示し、図２は、ロービーム用の電気回路の一例を示す。
【００１７】
図１において、ヘッドランプの点灯装置は、２次電池等の電源１と、車両の電源をオンオフするメインスイッチ２と、運転者がヘッドランプの点灯状態を切り換えるコンビスイッチ３と、コンビスイッチ３からの点灯信号に応じてヘッドランプを点灯するコントローラ４と、コントローラ４による制御により点灯／消灯するハイビーム用ヘッドランプ５とロービーム用ヘッドランプ６とから構成される。ハイビーム用ヘッドランプ５はハロゲンランプを用いており、ロービーム用ヘッドランプ６はＨＩＤランプまたはハロゲンランプを用いている。
【００１８】
コントローラ４は、コンビスイッチ３からの信号をデジタル信号に変換するインターフェース７と、デジタル信号を入力して入力信号に基づいてヘッドランプ５、６を点灯するためのスイッチング素子８、９を切り換えるＣＰＵ１０と、スイッチング素子９からロービーム用ヘッドランプ６に繋がる回路の抵抗値を検出し、ヘッドランプ６の抵抗値をＣＰＵ１０に出力する抵抗値検出手段１１とから構成される。
【００１９】
図２において、コントローラ４のＣＰＵ１０は、メインスイッチ２のオン状態を認識すると抵抗値検出手段１１からの抵抗値信号を読み込み、ロービーム用ヘッドランプ６の種類がＨＩＤランプかハロゲンヘッドランプかを判定する。判別方法については後述する。
【００２０】
ＣＰＵ１０は、判別したランプの種類に応じてロービーム用ヘッドランプ６の点灯条件をマップから読み込む。ＣＰＵ１０は、ＨＩＤランプ用とハロゲンランプ用それぞれのマップを予め記憶しておき、ランプの種類に対応するマップを読み込む。マップの一例として図３に示すようなものがある。
【００２１】
このマップは、ランプの寿命を延ばすため、ＨＩＤランプとハロゲンランプの特性に応じてランプの種類ごとに設定される。具体的にはロービーム用ヘッドランプ６の点灯状態からハイビーム用ヘッドランプ５を点灯する際の点灯状態が異なっている。
【００２２】
ＨＩＤランプの場合には、消灯、点灯を繰り返すと電極が劣化して寿命を短くすることになるためハイビーム点灯時でもＨＩＤランプのロービームはそのまま点灯するように制御する。一方、ハロゲンランプの場合には、フィラメントの点灯時間が寿命と反比例するため、ハイビーム用ヘッドランプ点灯時に消灯することでフィラメントの寿命を延ばすようにする。
【００２３】
なお、図３に示すマップ中の点灯、消灯はロービーム用ヘッドランプの点灯状態を示しており、例えばハロゲンランプの点灯条件でロービーム用ヘッドランプが点灯した状態でハイビーム用ヘッドランプが点灯する場合にはロービーム用ヘッドランプが消灯することを示している。
【００２４】
図４は、ＣＰＵ１０が実施するロービーム用ヘッドランプのランプ種別の判別方法を説明するフローチャートである。
【００２５】
ロービーム用ヘッドランプのランプ種別の判別方法としては、設定されうるＨＩＤランプとハロゲンランプとの抵抗値の違いに基づいて判別する。つまりＨＩＤランプの場合には制御用のバラストを備えているため抵抗が大きくなり、一方ハロゲンランプの場合にはフィラメントを備えているだけなので抵抗値は小さくなる。したがって、ヘッドランプが点灯しない程度の電流をヘッドランプに流して、その際の抵抗値を抵抗値検出手段１１が検出してＣＰＵ１０に出力し、ＣＰＵ１０は検出した抵抗値を、予め記憶したＨＩＤランプとハロゲンランプのそれぞれの抵抗値に応じて設定した所定値と比較して、ロービーム用ヘッドランプ６のランプの種類を判別する。
【００２６】
まずステップＳ１では、車両の電源がオン状態かどうかを判定し、オンの場合にランプ種類の判別を実施するためステップＳ２に進み、オフ状態の場合には制御を終了する。続くステップＳ２では、ロービーム用ヘッドランプ６に所定の電流を流し、抵抗値検出手段１１によりその際の抵抗値を検出する。検出した抵抗値をＣＰＵ１０に出力し、ＣＰＵ１０は検出した抵抗値をステップＳ４にて、予め設定した所定値と比較する。
【００２７】
ステップＳ４で検出値が所定値を超えていればランプがＨＩＤランプであると判別してステップＳ５に進み、ＨＩＤランプ用のマップを読み込む。一方、検出値が所定値以下であればランプがハロゲンランプであると判別としてステップＳ６でハロゲンランプ用のマップを読み込む。そして、読み込んだマップに基づいてロービーム用ヘッドランプ６の点灯状態を制御する。
【００２８】
本発明は上記の実施の形態に限定されずに、その技術的な思想の範囲内において種々の変更がなしうることは明白である。
【図面の簡単な説明】
【００２９】
【図１】本実施形態のヘッドランプ点灯装置の構成図である。
【図２】ロービーム用ヘッドランプの電気回路の一例を示す図である。
【図３】ＨＩＤランプ用点灯状態マップとハロゲンランプ用点灯状態マップの一例を示す図である。
【図４】ロービーム用ヘッドランプのランプ種別の判別方法を説明するフローチャートである。
【図５】従来のヘッドランプの構成を説明する図である。
【符号の説明】
【００３０】
１    電源
２    メインスイッチ
３    コンビスイッチ
４    コントローラ
５    ハイビーム用ヘッドランプ
６    ロービーム用ヘッドランプ
７    インターフェース
８    スイッチング素子
９    スイッチング素子
１０  ＣＰＵ
１１    抵抗値検出手段
【図１】
2008230509.tif 000003
【図２】
2008230509.tif 000004
【図３】
2008230509.tif 000005
【図４】
2008230509.tif 000006
【図５】
2008230509.tif 000007